(57)【要約】【課題】利用者にとっての利便性を向上しうる照明装置及び照明システムを提供する。【解決手段】照明装置２０は、所定のスペクトルで特定される照明光を射出する発光部１０と、情報を出力する出力部３０と、発光部１０と出力部３０とを制御する制御部２２とを備える。【選択図】図１
2020194671.tif 000002
【特許請求の範囲】
【請求項１】
所定のスペクトルで特定される照明光を射出する発光部と、
情報を出力する出力部と、
前記発光部と前記出力部とを制御する制御部と
を備える照明装置。
【請求項２】
前記制御部は、前記出力部に出力させる情報と前記照明光とを連動させる、請求項１に記載の照明装置。
【請求項３】
前記発光部は、３６０ｎｍ〜４３０ｎｍの波長領域に励起ピーク波長を有する励起光を射出する励起光発光素子と、前記励起光を３６０ｎｍ〜７８０ｎｍの波長領域にピーク波長を有する照明光に変換する波長変換部材とを備える、請求項１又は２に記載の照明装置。
【請求項４】
前記出力部は、３６０ｎｍ〜４３０ｎｍの波長領域に通信ピーク波長を有する通信光を射出する通信光発光素子を備え、
前記制御部は、前記出力部に出力させる情報を含む通信信号に基づいて前記通信光を変調する、請求項３に記載の照明装置。
【請求項５】
前記通信ピーク波長における前記通信光の強度は、前記励起ピーク波長における前記照明光の強度より大きい、請求項４に記載の照明装置。
【請求項６】
前記出力部は、音声を出力するスピーカを含む、請求項１から５までのいずれか一項に記載の照明装置。
【請求項７】
前記制御部は、前記照明光と前記音声とを連動させる、請求項６に記載の照明装置。
【請求項８】
前記出力部は、電子機器と通信する通信インタフェースをさらに含み、前記音声と連動して前記電子機器を動作させるデータを前記電子機器に出力する、請求項６又は７に記載の照明装置。
【請求項９】
前記出力部は、電子機器と通信する通信インタフェースを備える、請求項１から５までのいずれか一項に記載の照明装置。
【請求項１０】
前記出力部は、前記照明光と連動して前記電子機器を動作させるデータを前記電子機器に出力する、請求項９に記載の照明装置。
【請求項１１】
前記出力部は、音声を出力するスピーカをさらに含み、前記音声と連動して前記電子機器を動作させるデータを前記電子機器に出力する、請求項９又は１０に記載の照明装置。
【請求項１２】
検出部をさらに備え、
前記出力部は、前記検出部による検出結果を出力する、請求項１から１１までのいずれか一項に記載の照明装置。
【請求項１３】
照射灯として設置可能である、請求項１から１２までのいずれか一項に記載の照明装置。
【請求項１４】
少なくとも２つの照明装置を備え、
前記照明装置は、
所定のスペクトルで特定される照明光を射出する発光部と、
情報を出力する出力部と、
前記発光部と前記出力部とを制御する制御部と
を備える、照明システム。
【発明の詳細な説明】
【技術分野】
【０００１】
本開示は、照明装置及び照明システムに関する。
【背景技術】
【０００２】
従来、調光可能な照明装置が知られている（例えば、特許文献１参照）。
【先行技術文献】
【特許文献】
【０００３】
【特許文献１】特表２０１６−５３０６８１号公報
【発明の概要】
【発明が解決しようとする課題】
【０００４】
照明装置の利便性の向上が求められる。
【０００５】
本開示の目的は、利用者にとっての利便性を向上しうる照明装置及び照明システムを提供することにある。
【課題を解決するための手段】
【０００６】
本開示の一実施形態に係る照明装置は、所定のスペクトルで特定される照明光を射出する発光部と、情報を出力する出力部と、前記発光部と前記出力部とを制御する制御部とを備える。
【０００７】
本開示の一実施形態に係る照明システムは、少なくとも２つの照明装置を備える。前記照明装置は、所定のスペクトルで特定される照明光を射出する発光部と、情報を出力する出力部と、前記発光部と前記出力部とを制御する制御部とを備える。
【発明の効果】
【０００８】
本開示の一実施形態に係る照明装置及び照明システムは、利用者にとっての利便性を向上しうる。
【図面の簡単な説明】
【０００９】
【図１】一実施形態に係る照明装置の外観の一例を示す図である。
【図２】一実施形態に係る照明装置の構成例を示すブロック図である。
【図３】発光装置の構成例を示す外観斜視図である。
【図４】図３のＡ−Ａ断面図である。
【図５】図４の丸囲み部の拡大図である。
【図６】発光部が円錐面に沿って並ぶ構成例を示す図である。
【図７】発光部が円周に沿って並ぶ構成例を示す図である。
【図８】照明光及び通信光のスペクトルの一例を示すグラフである。
【図９】一実施形態に係る照明システムの構成例を示すブロック図である。
【発明を実施するための形態】
【００１０】
図１及び図２に示されるように、一実施形態に係る照明装置２０は、発光部１０と、制御部２２と、出力部３０とを備える。照明装置２０は、発光部１０を収容する筐体４０をさらに備えてもよい。
【００１１】
制御部２２は、発光部１０及び出力部３０を制御する。制御部２２は、照明装置２０の各構成部に制御指示を出力したり、各構成部から種々の情報を取得したりする。制御部２２は、種々の機能を実行するための制御及び処理能力を提供するために、少なくとも１つのプロセッサを含んでよい。プロセッサは、制御部２２の種々の機能を実現するプログラムを実行しうる。プロセッサは、単一の集積回路として実現されてよい。集積回路は、ＩＣ（Integrated Circuit）ともいう。プロセッサは、複数の通信可能に接続された集積回路及びディスクリート回路として実現されてよい。プロセッサは、他の種々の既知の技術に基づいて実現されてよい。
【００１２】
制御部２２は、記憶部を含んでよい。記憶部は、磁気ディスク等の電磁記憶媒体を含んでよいし、半導体メモリ又は磁気メモリ等のメモリを含んでもよい。記憶部は、各種情報及び制御部２２で実行されるプログラム等を格納する。記憶部は、制御部２２のワークメモリとして機能してよい。記憶部の少なくとも一部は、制御部２２と別体として構成されてもよい。
【００１３】
照明装置２０は、検出部２４をさらに備えてもよい。検出部２４は、例えば、人感センサ又は近接センサ等の、照明装置２０の周辺に位置する物体を検出するデバイスを含んでもよい。人感センサ又は近接センサは、照明装置２０の周辺に位置する人間若しくは動物、又は物品等を検出してよい。検出部２４は、加速度センサ等を含んでもよい。加速度センサは、地震、又は、照明装置２０への衝突を検出してよい。検出部２４は、温度センサ、湿度センサ又は照度センサ等の、照明装置２０の周囲の状況を検出するデバイスを含んでもよい。検出部２４は、制御部２２に検出結果を出力する。
【００１４】
照明装置２０は、受光部２５をさらに備えてもよい。受光部２５は、例えばＰＤ（Photo
Diode）又はＰＴ（Photo Transistor）等を含んでよい。受光部２５は、入射してくる光を電気信号に変換し、制御部２２に出力してよい。受光部２５は、検出部２４に含まれてもよい。受光部２５は、後述する通信光を受け、通信光に重畳されている通信信号を制御部２２に出力してよい。制御部２２は、受光部２５が出力する電気信号から通信信号を検出してもよい。
【００１５】
照明装置２０は、電源２６をさらに備えてもよい。電源２６は、照明装置２０の各構成部に電力を供給する。電源２６は、一次電池又は二次電池等のバッテリを含んでもよい。電源２６は、電力網又はバッテリから供給される電力を照明装置２０の各構成部に供給可能に変換するコンバータ等を含んでもよい。
【００１６】
発光部１０は、後述するように、所定のスペクトルで特定される光を照明光として射出する。所定のスペクトルは、例えば、３６０ｎｍ〜４３０ｎｍの波長領域にピーク波長を有するとともに、３６０ｎｍ〜７８０ｎｍの波長領域にピーク波長を有してよい。３６０ｎｍ〜４３０ｎｍの波長領域にピーク波長を有する光は、紫色光ともいう。３６０ｎｍ〜４３０ｎｍの波長領域は、紫色光領域ともいう。３６０ｎｍ〜７８０ｎｍの波長領域にピーク波長を有する光は、可視光ともいう。３６０ｎｍ〜７８０ｎｍの波長領域は、可視光領域ともいう。光を特定するスペクトルは、例えば、分光測光装置などにより分光法を用いて測定される。発光部１０は、照明装置２０の周囲を照らすように照明光を射出してよい。発光部１０は、所定の範囲内を照らすように照明光を射出してもよい。所定の範囲は、例えば照明装置２０から所定距離以内の範囲に設定されてもよい。所定の範囲は、この例に限られず適宜設定されてよい。
【００１７】
制御部２２は、調光器２２ａを含んでもよい。制御部２２は、調光器２２ａを介して発光部１０を制御してもよい。調光器２２ａは、発光部１０が射出する照明光の強度又はスペクトル若しくは色を制御する。つまり、調光器２２ａは、照明光を調光したり調色したりする。調光器２２ａは、調光情報に基づいて照明光を調光又は調色してよい。調光情報は、照明光の強度又はスペクトル若しくは色を規定する。調光器２２ａは、調光情報を制御部２２から取得してよいし、外部装置から取得してもよい。調光情報は、照明光の明るさを指示する調光レベルを含んでよい。調光情報は、照明光のスペクトル又は色を指示する調色情報を含んでよい。調光器２２ａは、調光情報に基づいて、発光部１０に供給する電力を調整することで調光してよい。つまり、調光器２２ａは、取得した調光情報を、発光部１０に供給する電力の大きさを決定する信号に変換してよい。調光器２２ａは、位相制御方式によって発光部１０の調光制御を行ってもよい。この場合、調光器２２ａは、照明光の明るさが調光レベルに応じた明るさになるように、照明光を調光してよい。
【００１８】
調光器２２ａは、発光部１０を制御するための光制御信号を出力してよい。光制御信号は、発光部１０の発光状態を制御するための信号であり、例えば、点消灯を行うオンオフ信号、又は、調光を行うための調光信号等を含んでよい。調光器２２ａは、光制御信号を有線又は無線の通信によって発光部１０に出力してよい。
【００１９】
調光器２２ａは、発光部１０に含まれていてもよい。制御部２２又は発光部１０は、調光器２２ａを一体に含んでもよい。
【００２０】
出力部３０は、後述するように種々の情報を出力する。出力部３０は、例えば、音声として情報を出力してもよいし、可視光等の電磁波として情報を出力してもよい。
【００２１】
出力部３０は、スピーカ３４を含んでよい。スピーカ３４は、照明装置２０の周囲にいる人間に聞こえるように音声を出力してよい。スピーカ３４は、所定の範囲内に届くように音声を出力してもよい。所定の範囲は、例えば照明装置２０から所定距離以内の範囲に設定されてもよい。所定の範囲は、この例に限られず適宜設定されてよい。
【００２２】
制御部２２は、調音器２２ｂを含んでもよい。制御部２２は、調音器２２ｂを介してスピーカ３４を制御してもよい。調音器２２ｂは、スピーカ３４に音楽又はメッセージ等を含む音声を出力させる。つまり、調音器２２ｂは、スピーカ３４が出力する音声を制御する。調音器２２ｂは、スピーカ３４が出力する音楽若しくはメッセージの種類又は音量を制御してよい。調音器２２ｂは、調音情報に基づいてスピーカ３４を制御してよい。調音情報は、スピーカ３４が出力する音声の内容を規定する。調音器２２ｂは、調音情報を制御部２２から取得してよいし、外部装置から取得してもよい。調音情報は、スピーカ３４が出力する音量を指示する調音レベルを含んでよい。調音器２２ｂは、スピーカ３４が出力する音量が調音レベルに応じた音量になるように、スピーカ３４を制御してよい。
【００２３】
調音器２２ｂは、スピーカ３４を制御するための音声制御信号を出力してよい。音声制御信号は、スピーカ３４の音声の出力状態を制御するための信号であり、例えば、音声を出力する状態と消音状態とを切り替えるオンオフ信号、又は、調音を行うための調音信号等を含んでよい。調音器２２ｂは、音声制御信号を有線又は無線の通信によってスピーカ３４に出力してよい。
【００２４】
調音器２２ｂは、スピーカ３４に含まれていてもよい。制御部２２又はスピーカ３４は、調音器２２ｂを一体に含んでもよい。
【００２５】
出力部３０は、通信光発光素子３２を含んでよい。通信光発光素子３２は、端末等の電子機器に可視光通信によって情報を送信するための通信光を射出する。電子機器は、例えば、スマートフォン又はフィーチャフォン等の携帯端末を含んでよい。電子機器は、例えば、ノートＰＣ（Personal Computer）又はタブレットＰＣ等を含んでもよい。通信光は、通信信号が重畳されるように変調された光であるとする。制御部２２は、照明装置２０が出力するデータに基づく通信信号を生成する。照明装置２０が出力するデータは、出力データとも称される。制御部２２は、通信信号に基づいて通信光発光素子３２を制御し、通信光に通信信号を重畳させる。つまり、制御部２２は、出力データに基づいて通信光を生成してよい。
【００２６】
制御部２２は、例えば出力データを符号化することによって通信信号を生成してもよい。符号化の方式は、多値化、圧縮、誤り検出等の種々の方式を含んでよい。制御部２２は、例えば出力データをパルス変調可能な形式の通信信号に変換してもよい。制御部２２は、これらの例に限られず種々の方式で出力データを通信信号に変換してよい。
【００２７】
制御部２２は、通信光をパルス変調することによって、通信光に通信信号を重畳させてよい。パルス変調の方式は、例えば、ＰＷＭ（Pulse Width Modulation）、ＰＤＭ（Pulse Density Modulation）、ＰＰＭ（Pulse Position Modulation）、ＰＣＭ（Pulse Code Modulation）、又はＰＡＭ（Pulse Amplitude Modulation）等の種々の方式を含んでよい。制御部２２は、通信光をＯＦＤＭ（Orthogonal Frequency Division Multiplexing）等の他の種々の方式で変調してもよい。制御部２２は、これらの例に限られず種々の方式で通信光を変調し、通信光に通信信号を重畳させてよい。
【００２８】
通信光発光素子３２は、照明装置２０の周囲に位置する電子機器に到達するように通信光を射出してよい。通信光発光素子３２は、所定の範囲内に位置する電子機器に到達するように通信光を射出してもよい。所定の範囲は、例えば照明装置２０から所定距離以内の範囲に設定されてもよい。所定の範囲は、この例に限られず適宜設定されてよい。
【００２９】
電子機器は、通信光発光素子３２から射出された通信光を受信し、通信光に基づいて出力データを復号する。電子機器は、照明装置２０から通信光を受信する受光部２５を備えてもよい。電子機器は、通信光に重畳されている通信信号を通信光から検出する信号検出部を備えてもよい。電子機器は、通信信号を復号して出力データを生成する復号部を備えてもよい。
【００３０】
通信光は、所定のスペクトルで特定される。通信光を特定するスペクトルは、紫色光領域にピーク波長を有してよい。通信光のスペクトルが紫色光領域にピーク波長を有することによって、人間は通信光を視認しにくくなる。その結果、暗い照明の中でも人間に違和感を与えずに可視光通信が実行されうる。また、明るい照明の中でも、照明光と通信光とが互いに影響を及ぼしにくくなる。
【００３１】
制御部２２は、発光部１０と通信光発光素子３２とを独立に制御できる。つまり、制御部２２は、照明光と通信光とを独立に制御できる。照明光と通信光とが独立に制御されることによって、照明光による環境の演出が通信光による情報の送信に影響を及ぼしにくくなる。その結果、環境の演出の自由度と、通信光による情報の送信の自由度とがともに高められうる。
【００３２】
出力部３０は、通信インタフェース３６を含んでよい。通信インタフェース３６は、外部の電子機器又はサーバと照明装置２０とを、有線又は無線によって通信可能に接続する。通信インタフェース３６は、照明装置２０をＬＡＮ（Local Area Network）等のネットワークに接続してよい。通信インタフェース３６は、ＬＴＥ（Long Term Evolution）、４Ｇ（4th Generation）又は５Ｇ（5th Generation）等の種々の通信方式によってネットワークとの通信を実現してもよい。通信インタフェース３６は、電波を送受信するためのアンテナを有してもよい。アンテナは、例えばモジュール基板に形成されたパターンアンテナであってよいが、これに限られない。通信インタフェース３６は、赤外線通信又はＮＦＣ（Near Field communication）通信等の非接触通信の方式によって、電子機器と通信してもよい。通信インタフェース３６は、Ｂｌｕｅｔｏｏｔｈ（登録商標）又はＺｉｇＢｅｅ（登録商標）等の近距離無線通信の方式によって電子機器と通信してもよい。通信インタフェース３６は、ＲＳ２３２Ｃ又はＲＳ４８５等のシリアル通信規格に基づく信号を入出力可能なポートを含んでもよい。
【００３３】
本実施形態に係る照明装置２０は、発光部１０と出力部３０とを備えることによって、周囲を照明しつつ情報を出力できる。本実施形態に係る照明装置２０が１台設置されることによって、発光部１０と出力部３０とを組み合わせた構成が一括で設置される。本実施形態に係る照明装置２０によれば、発光部１０と出力部３０とが別個に設置される場合と比較して、発光部１０と出力部３０とを組み合わせた構成が容易に設置される。
【００３４】
＜発光装置＞
図３、図４及び図５に示されるように、発光部１０は、発光素子３と、波長変換部材６とを備える。発光部１０は、素子基板２と、枠体４と、封止部材５とをさらに備えてもよい。
【００３５】
発光素子３は、３６０ｎｍ〜４３０ｎｍの波長領域にピーク波長を有する光を射出する。波長変換部材６は、発光素子３から波長変換部材６に入射してきた光を、可視光領域にピーク波長を有する光に変換し、変換した光を射出する。可視光は、紫色光を含むとする。可視光領域は、紫色光領域を含むとする。波長変換部材６は、発光素子３が射出する光によって励起されることによって、可視光領域にピーク波長領域を射出する。発光素子３が射出する光は、励起光とも称される。発光部１０が備える発光素子３は、励起光発光素子とも称される。
【００３６】
発光部１０は、複数の波長変換部材６を有してよい。複数の波長変換部材６は、それぞれ異なるピーク波長を有する光を射出してよい。発光部１０は、各波長変換部材６が射出する光の強度を制御することによって、種々のスペクトルを有する光を射出できる。
【００３７】
素子基板２は、例えば、絶縁性を有する材料で形成されてよい。素子基板２は、例えば、アルミナ若しくはムライト等のセラミック材料、ガラスセラミック材料、又は、これらの材料のうち複数の材料を混合した複合系材料等で形成されてよい。素子基板２は、熱膨張を調整することが可能な金属酸化物微粒子を分散させた高分子樹脂材料等で形成されてもよい。
【００３８】
素子基板２は、素子基板２の主面２Ａ又は素子基板２の内部に、素子基板２に実装している発光素子３等の部品を電気的に導通する配線導体を備えてよい。配線導体は、例えば、タングステン、モリブデン、マンガン、又は銅等の導電材料で形成されてよい。配線導体は、例えば、タングステンの粉末に有機溶剤が添加された金属ペーストを、素子基板２となるセラミックグリーンシートに所定パターンで印刷し、複数のセラミックグリーンシートを積層して、焼成することにより形成されてよい。配線導体は、酸化防止のために、その表面に、例えば、ニッケル又は金等のめっき層が形成されてよい。
【００３９】
素子基板２は、発光素子３が発光する光を効率良く外部へと放出させるため、配線導体、及びめっき層と間隔を空けて、金属反射層を備えてもよい。金属反射層は、例えば、アルミニウム、銀、金、銅又はプラチナ等の金属材料で形成されてよい。
【００４０】
本実施形態において、発光素子３は、ＬＥＤであるとする。ＬＥＤは、Ｐ型半導体とＮ型半導体とが接合されたＰＮ接合中で、電子と正孔とが再結合することによって、外部へと光を発光する。発光素子３は、ＬＥＤに限られず、他の発光デバイスであってもよい。
【００４１】
発光素子３は、素子基板２の主面２Ａ上に実装される。発光素子３は、素子基板２に設けられる配線導体の表面に被着するめっき層上に、例えば、ろう材又は半田等を介して、電気的に接続される。素子基板２の主面２Ａ上に実装される発光素子３の個数は、特に限定されるものではない。
【００４２】
発光素子３は、透光性基体と、透光性基体上に形成される光半導体層とを含んでよい。透光性基体は、例えば、有機金属気相成長法、又は分子線エピタキシャル成長法等の化学気相成長法を用いて、その上に光半導体層を成長させることが可能な材料を含む。透光性基体は、例えば、サファイア、窒化ガリウム、窒化アルミニウム、酸化亜鉛、セレン化亜鉛、シリコンカーバイド、シリコン（Ｓｉ）、又は二ホウ化ジルコニウム等で形成されてよい。透光性基体の厚みは、例えば、５０μｍ以上１０００μｍ以下であってよい。
【００４３】
光半導体層は、透光性基体上に形成される第１半導体層と、第１半導体層上に形成される発光層と、発光層上に形成される第２半導体層とを含んでよい。第１半導体層、発光層、及び第２半導体層は、例えば、ＩＩＩ族窒化物半導体、ガリウム燐若しくはガリウムヒ素等のＩＩＩ−Ｖ族半導体、又は、窒化ガリウム、窒化アルミニウム若しくは窒化インジウム等のＩＩＩ族窒化物半導体等で形成されてよい。
【００４４】
第１半導体層の厚みは、例えば、１μｍ以上５μｍ以下であってよい。発光層の厚みは、例えば、２５ｎｍ以上１５０ｎｍ以下であってよい。第２半導体層の厚みは、例えば、５０ｎｍ以上６００ｎｍ以下であってよい。
【００４５】
枠体４は、例えば、酸化アルミニウム、酸化チタン、酸化ジルコニウム又は酸化イットリウム等のセラミック材料で形成されてよい。枠体４は、多孔質材料で形成されてよい。枠体４は、酸化アルミニウム、酸化チタン、酸化ジルコニウム又は酸化イットリウム等の金属酸化物を含む粉末を混合した樹脂材料で形成されてよい。枠体４は、これらの材料に限られず、種々の材料で形成されてよい。
【００４６】
枠体４は、素子基板２の主面２Ａに、例えば、樹脂、ろう材又は半田等を介して、接続される。枠体４は、発光素子３と間隔を空けて、発光素子３を取り囲むように素子基板２の主面２Ａ上に設けられる。枠体４は、内壁面が、素子基板２の主面２Ａから遠ざかる程、外方に向かって広がるように傾斜して設けられている。内壁面は、発光素子３が発光する光を反射させる反射面として機能する。内壁面は、例えば、タングステン、モリブデン、又はマンガン等の金属材料で形成される金属層と、金属層を被覆し、ニッケル又は金等の金属材料で形成されるめっき層とを含んでよい。めっき層は、発光素子３が発光する光を反射する。
【００４７】
枠体４の内壁面の形状は、平面視において、円形状であってよい。内壁面の形状が円形状であることによって、枠体４は、発光素子３が発光する光を略一様に、外方に向かって反射させることができる。枠体４の内壁面の傾斜角度は、素子基板２の主面２Ａに対して、例えば、５５度以上７０度以下の角度に設定されていてよい。
【００４８】
封止部材５は、素子基板２及び枠体４で囲まれる内側の空間に、枠体４で囲まれる内側の空間の上部の一部を残して充填されている。封止部材５は、発光素子３を封止するとともに、発光素子３が発光する光を透過させる。封止部材５は、例えば、光透過性を有する材料で形成されてよい。封止部材５は、例えば、シリコーン樹脂、アクリル樹脂若しくはエポキシ樹脂等の光透過性を有する絶縁樹脂材料、又は光透過性を有するガラス材料、等で形成されてよい。封止部材５の屈折率は、例えば、１．４以上１．６以下に設定されていてよい。
【００４９】
発光部１０が封止部材５を備える場合、発光素子３から射出された紫色光は、封止部材５を通過して波長変換部材６に入射する。上述したように、波長変換部材６は、発光素子３から入射してきた紫色光を、可視光領域に含まれる種々のピーク波長を有する光に変換する。発光素子３は、射出した紫色光が波長変換部材６に入射するように位置する。言い換えれば、波長変換部材６は、発光素子３から射出された光が入射してくるように位置する。図３から図５に例示されている構成において、波長変換部材６は、素子基板２及び枠体４で囲まれる内側の空間の上部の一部に、封止部材５の上面に沿って位置している。この例に限定されることなく、例えば、波長変換部材６は、素子基板２及び枠体４で囲まれる内側の空間の上部からはみ出すように位置してもよい。
【００５０】
図５に示されるように、波長変換部材６は、透光性を有する透光部材６０と、第１蛍光体６１、第２蛍光体６２、第３蛍光体６３、第４蛍光体６４及び第５蛍光体６５とを備えてよい。第１蛍光体６１、第２蛍光体６２、第３蛍光体６３、第４蛍光体６４及び第５蛍光体６５は、単に蛍光体ともいう。蛍光体は、透光部材６０の内部に含有されているとする。蛍光体は、透光部材６０の内部で略均一に分散されていてよい。蛍光体は、波長変換部材６に入射してきた紫色光を、３６０ｎｍ〜７８０ｎｍの波長領域に含まれるピーク波長を有する光に変換し、変換した光を射出する。
【００５１】
透光部材６０は、例えば、フッ素樹脂、シリコーン樹脂、アクリル樹脂若しくはエポキシ樹脂等の透光性を有する絶縁樹脂、又は透光性を有するガラス材料等で形成されていてよい。
【００５２】
蛍光体は、入射してきた紫色光を種々のピーク波長を有する光に変換する。
【００５３】
第１蛍光体６１は、紫色光を、例えば４００ｎｍ〜５００ｎｍの波長領域内にピーク波長を有するスペクトルで特定される光、つまり青色の光に変換してよい。第１蛍光体６１は、例えば、ＢａＭｇＡｌ10Ｏ17：Ｅｕ、又は（Ｓｒ，Ｃａ，Ｂａ）10（ＰＯ4）6Ｃｌ2：Ｅｕ，（Ｓｒ，Ｂａ）10（ＰＯ4）6Ｃｌ2：Ｅｕ等を用いることができる。
【００５４】
第２蛍光体６２は、紫色光を、例えば４５０ｎｍ〜５５０ｎｍの波長領域内にピーク波長を有するスペクトルで特定される光、つまり青緑色の光に変換してよい。第２蛍光体６２は、例えば、（Ｓｒ，Ｂａ，Ｃａ）5（ＰＯ4）3Ｃｌ：Ｅｕ，Ｓｒ4Ａｌ14Ｏ25：Ｅｕ等を用いることができる。
【００５５】
第３蛍光体６３は、紫色光を、例えば５００ｎｍ〜６００ｎｍの波長領域内にピーク波長を有するスペクトルで特定される光、つまり緑色の光に変換してよい。第３蛍光体６３は、例えば、ＳｒＳｉ2（Ｏ，Ｃｌ）2Ｎ2：Ｅｕ、（Ｓｒ，Ｂａ，Ｍｇ）2ＳｉＯ4：Ｅｕ2+、又はＺｎＳ：Ｃｕ，Ａｌ、Ｚｎ2ＳｉＯ4：Ｍｎ等を用いることができる。
【００５６】
第４蛍光体６４は、紫色光を、例えば６００ｎｍ〜７００ｎｍの波長領域内にピーク波長を有するスペクトルで特定される光、つまり赤色の光に変換してよい。第４蛍光体６４は、例えば、Ｙ2Ｏ2Ｓ：Ｅｕ、Ｙ2Ｏ3：Ｅｕ、ＳｒＣａＣｌＡｌＳｉＮ3：Ｅｕ2+、ＣａＡｌＳｉＮ3：Ｅｕ、又はＣａＡｌＳｉ（ＯＮ）3：Ｅｕ等を用いることができる。
【００５７】
第５蛍光体６５は、紫色光を、例えば６８０ｎｍ〜８００ｎｍの波長領域内にピーク波長を有するスペクトルで特定される光、つまり近赤外光に変換してよい。近赤外光は、６８０〜２５００ｎｍの波長領域の光を含んでよい。第５蛍光体６５は、例えば、３Ｇａ5Ｏ12：Ｃｒ等を用いることができる。
【００５８】
波長変換部材６が含有する蛍光体の種類の組み合わせは、特に限定されない。図４及び図５の領域Ｘに示されるように、波長変換部材６は、第１蛍光体６１、第２蛍光体６２、第３蛍光体６３、第４蛍光体６４及び第５蛍光体６５を有してよい。波長変換部材６は、他の種類の蛍光体を有してもよい。
【００５９】
発光部１０は、複数の波長変換部材６を備えてよい。各波長変換部材６は、蛍光体の組み合わせが異なっていてもよい。発光部１０は、各波長変換部材６に対して紫色光を射出する発光素子３を備えてよい。発光部１０は、各波長変換部材６に入射する紫色光の強度を制御することによって、種々のスペクトルを有する光を射出できる。１つの波長変換部材６は、例えば青色の蛍光を放射する蛍光体、青緑色の蛍光を放射する蛍光体、及び緑色の蛍光を放射する蛍光体を含んでもよい。１つの波長変換部材６は、１種類の蛍光体のみを含んでもよい。１つの波長変換部材６は、これらの例に限られず、種々の組み合わせで蛍光体を含んでもよい。波長変換部材６から放射される光の色彩は、波長変換部材６に含まれる蛍光体の種類に基づいて決定される。
【００６０】
本実施形態に係る発光部１０は、波長変換部材６の組み合わせによって、種々のスペクトルを有する光を射出できる。発光部１０は、例えば、太陽からの直射日光のスペクトル、海中の所定の深さまで到達した日光のスペクトル、ろうそくの炎が発する光のスペクトル、又は、蛍の光のスペクトル等を有する光等を射出できる。言い換えれば、発光部１０は、種々の色を有する光を射出できる。
【００６１】
照明装置２０は、複数の発光部１０を有してよい。複数の発光部１０は、第１発光部と第２発光部とを含んでよい。制御部２２は、第１発光部が射出する光の強度、及び、第２発光部が射出する光の強度をそれぞれ独立に制御してもよいし、関連づけて制御してもよい。第１発光部が備える発光素子３は、第１励起光発光素子とも称される。第２発光部が備える発光素子３は、第２励起光発光素子とも称される。制御部２２は、第１励起光発光素子が射出する第１励起光の強度と、第２励起光発光素子が射出する第２励起光の強度とをそれぞれ制御することによって、第１発光部が射出する光の強度、及び、第２発光部が射出する光の強度を制御してよい。第１発光部が射出する光のスペクトルは、第２発光部が射出する光のスペクトルと異なっていてもよい。制御部２２は、第１発光部が射出する光の強度と、第２発光部が射出する光の強度とを関連づけて制御することによって、第１発光部が射出する光と第２発光部が射出する光とを合成した光のスペクトルを制御してもよい。第１発光部が射出する光と第２発光部が射出する光とを合成した光は、合成光ともいう。照明装置２０は、合成光を照明光として射出してもよい。
【００６２】
＜照明装置の構成例＞
図６に例示されるように、照明装置２０は、第１筐体４１と第２筐体４２とを含む筐体４０を備えてよい。第１筐体４１の形状は、円錐状であるとするがこれに限られない。第２筐体４２の形状は、半球面状であるとするがこれに限られない。第１筐体４１は、第２筐体４２の内側に位置してよい。照明装置２０は、第１筐体４１と第２筐体４２との間に透光性基板５０を備えてよい。つまり、筐体４０は、透光性基板５０を保持する機能を有してよい。
【００６３】
発光部１０は、第１筐体４１の内部に収容されていてよい。筐体４０は、発光部１０が発する熱を外部に放散する機能を有してよい。発光部１０は、第１筐体４１の円錐面に沿って並ぶように位置してよい。発光部１０は、円錐の内部を埋めるように位置してもよい。発光部１０は、円錐の中心軸から同心円状に並ぶように位置してもよい。発光部１０は、例示されたパターンに限られず、種々のパターンで位置してもよい。第１筐体４１は、透光性を有してよい。照明光は、発光部１０から第１筐体４１を介して外部に射出されてよい。照明光は、発光部１０から透光性基板５０を介して外部に射出されてもよい。
【００６４】
第２筐体４２は、外側にスピーカ３４を有してよい。スピーカ３４は、第２筐体４２の外側に限られず、照明装置２０の他の部分に位置してもよい。
【００６５】
図７に例示されるように、照明装置２０は、半球面状の形状を有する筐体４０を備えてよい。筐体４０は、透光性基板５０を保持していてよい。発光部１０は、筐体４０の内部に収容されていてよい。筐体４０は、発光部１０が発する熱を外部に放散する機能を有してよい。発光部１０は、透光性基板５０によって覆われていてよい。発光部１０は、筐体４０の端部に沿って円周状に並ぶように位置してよい。発光部１０は、透光性基板５０の中心から同心円状に並ぶように位置してもよい。発光部１０は、例示されたパターンに限られず、種々のパターンで位置してもよい。照明光は、発光部１０から透光性基板５０を介して外部に射出されてよい。
【００６６】
筐体４０は、外側にスピーカ３４を有してよい。スピーカ３４は、筐体４０の外側に限られず、照明装置２０の他の部分に位置してもよい。
【００６７】
筐体４０は、少なくとも１つの面に開口を有する長尺の形状を有してもよい。この場合、照明装置２０は、筐体４０の内側に、複数の発光部１０が長手方向に沿って実装されている配線基板と、筐体４０によって支持され、筐体４０の開口を閉塞する長尺の透光性基板５０とをさらに備えてもよい。
【００６８】
複数の発光部１０は、互いに異なるスペクトルで特定される光、又は、互いに異なる色の光を射出する発光部１０が隣接するように位置してよい。隣接する発光部１０から、互いに異なるスペクトルで特定される光、又は、互いに異なる色の光が射出されることによって、各発光部１０から射出された光の合成光が均一に見えやすくなる。
【００６９】
図６及び図７に例示される照明装置２０は、通信光発光素子３２をさらに備えてもよい。通信光発光素子３２は、発光部１０の一部を置き換えるように位置してもよいし、例示されている発光部１０と並ぶように位置してもよい。
【００７０】
筐体４０は、例えば、アルミニウム、銅若しくはステンレス等の金属、プラスチック、又は樹脂等から構成される。筐体４０は、高い防水性及び防塵性を有する材料で構成されてもよい。筐体４０が高い防水性及び防塵性を有することによって、照明装置２０は、屋内外に設置される照射灯、特に街路灯等の外灯として外部に設置される場合、外部の環境の影響を受けにくくなる。
【００７１】
配線基板は、筐体４０の内部の底面に固定されてよい。配線基板は、例えば、リジッド基板、フレキシブル基板又はリジッドフレキシブル基板等のプリント基板を含んでよい。配線基板の配線パターンと発光部１０における素子基板２の配線パターンとは、半田又は導電性接着剤を介して電気的に接続されてよい。発光素子３は、配線基板から素子基板２を介して信号を受信し、信号に基づく強度を有する光を射出してよい。配線基板は、電源２６から配線を介して電力を受けてよい。
【００７２】
透光性基板５０は、発光部１０が射出する光を透過させる。透光性基板５０は、所定の透過率を有する材料で構成されてよい。透光性基板５０は、例えば、アクリル樹脂等の樹脂、又は、ガラス等の、光を所定の透過率で透過させる材料で構成されてよい。筐体４０が長尺形状を有する場合、透光性基板５０は、矩形状の板体であってよい。この場合、透光性基板５０の長手方向の長さは、例えば、９８ｍｍ以上１９９８ｍｍ以下であってよい。筐体４０が円錐形状を有する場合、透光性基板５０は、円状又は円環状の板体であってよい。この場合、透光性基板５０の直径は、９８ｍｍ以上１９９８ｍｍ以下であってよい。
【００７３】
筐体４０が長尺形状を有する場合、筐体４０は、長手方向に延在し、透光性基板５０を挿入可能な凹部を有してよい。透光性基板５０は、筐体４０の長手方向の一端に位置する開口から、凹部に挿入され、長手方向に沿ってスライドされることによって、複数の発光部１０から離間した位置で筐体４０に支持されてよい。透光性基板５０は、筐体４０に支持されている状態で、筐体４０の開口を閉塞してよい。
【００７４】
照明装置２０において、複数の発光部１０は、直線状又は円形状に配列されてよい。複数の発光部１０は、マトリクス状又は千鳥格子状に配列されてよい。発光部１０が２次元配列されていることによって、照明装置２０は、照明光を面状に射出してもよい。
【００７５】
筐体４０は、発光部１０を収容するとともに、制御部２２又は電源２６をさらに収容してもよい。制御部２２は、調光器２２ａ及び調音器２２ｂを含んでもよい。筐体４０は、スピーカ３４等の出力部３０を収容してもよい。筐体４０は、これらに限られず照明装置２０の種々の構成を収容してもよい。
【００７６】
＜可視光通信＞
通信光発光素子３２は、３６０ｎｍ〜４３０ｎｍの波長領域にピーク波長を有する通信光を射出すると仮定する。通信光のピーク波長は、通信ピーク波長とも称される。発光部１０の励起光は、３６０ｎｍ〜４３０ｎｍの波長領域にピーク波長を有すると仮定する。励起光のピーク波長は、励起ピーク波長とも称される。
【００７７】
照明光は、励起光の少なくとも一部が波長変換部材６によって変換された他の波長の光と、変換されなかった励起光とを含む。
【００７８】
照明光のうち励起ピーク波長を有する光は、通信光のノイズ光となりうる。制御部２２は、通信ピーク波長における通信光の強度が励起ピーク波長における照明光の強度より大きくなるように、通信光発光素子３２を制御してよい。このようにすることで、電子機器が通信光に重畳されている通信信号を検出する際に、照明光が影響を及ぼしにくくなる。
【００７９】
制御部２２は、照明光に含まれる所定の波長の光を変調して照明光に通信信号を重畳させてもよい。制御部２２は、照明光に含まれる第１波長の光及び第２波長の光をそれぞれ変調して照明光に２つの異なる通信信号を重畳させてもよい。第１波長と第２波長との差は、所定値以上に設定されてよい。所定値は、第１波長をピーク波長とする光のスペクトルの半値幅、及び、第２波長をピーク波長とする光のスペクトルの半値幅のうち大きい値とされてよい。
【００８０】
制御部２２は、通信信号を重畳させた照明光の光強度の時間平均が所定値となるように所定の波長の光を変調してもよい。このようにすることで、人間は、照明光に通信信号が重畳していることを感じにくくなる。
【００８１】
＜＜通信光のスペクトル＞＞
図８に照明光及び通信光それぞれを特定するスペクトルが例示される。スペクトルは、例えば、分光測光装置などにより分光法を用いて測定される。図８のグラフにおいて、横軸及び縦軸はそれぞれ、光の波長、及び、各波長における相対光強度を表している。
【００８２】
照明光は、実線で表されているスペクトルＳＰ１によって特定されるとする。通信光は、破線で表されているスペクトルＳＰ２によって特定されるとする。スペクトルＳＰ１は、３６０ｎｍ〜４３０ｎｍの波長領域に第１ピーク波長λ１を有する。スペクトルＳＰ１は、さらに、４３０ｎｍ〜６６０ｎｍの波長領域にピーク波長を有してよい。図８の例において、スペクトルＳＰ１は、４４０ｎｍ〜４７０ｎｍの波長領域に第２ピーク波長λ２を有し、５１０ｎｍ〜５５０ｎｍの波長領域に第３ピーク波長λ３を有し、６００ｎｍ〜６６０ｎｍの波長領域に第４ピーク波長λ４を有する。スペクトルＳＰ２は、３６０ｎｍ〜４３０ｎｍの波長領域に第５ピーク波長λ５を有する。第１ピーク波長λ１は、励起ピーク波長に対応する。第５ピーク波長λ５は、通信ピーク波長に対応する。
【００８３】
第５ピーク波長λ５は、第１ピーク波長λ１とピーク波長又は光強度が同一であってよい。このようにすることで、通信光発光素子３２は、発光部１０の発光素子３と同一に構成されうる。その結果、照明装置２０のコストが低減されうる。制御部２２は、第５ピーク波長λ５において、スペクトルＳＰ２の相対光強度が、スペクトルＳＰ１の相対光強度よりも大きくなるように、発光部１０と通信光発光素子３２とを制御してよい。このようにすることで、通信光を受ける外部装置が通信光に重畳されている信号を復号する際に、照明光が影響を及ぼしにくくなる。制御部２２は、第５ピーク波長λ５においてスペクトルＳＰ２の相対光強度の時間平均がスペクトルＳＰ１の相対光強度の時間平均よりも大きくなるように、発光部１０と通信光発光素子３２とを制御してよい。制御部２２は、第５ピーク波長λ５におけるスペクトルＳＰ２の相対光強度が第１ピーク波長λ１におけるスペクトルＳＰ１の相対光強度よりも大きくなるように、発光部１０と通信光発光素子３２とを制御してよい。第１ピーク波長λ１におけるスペクトルＳＰ１の相対光強度は、第５ピーク波長λ５におけるスペクトルＳＰ１の相対光強度よりも大きくなりうる。したがって、第５ピーク波長λ５において、スペクトルＳＰ２の相対光強度がスペクトルＳＰ１の相対光強度より大きくなりうる。
【００８４】
制御部２２は、２値に符号化された通信信号を通信光に重畳してよい。この場合、通信信号は、０及び１の２値で表されてよいし、Ｌ及びＨの２値で表されてもよい。通信信号の符号は、これらの例に限られない。本実施形態において、通信信号は、０及び１で表される２値で符号化されているとする。制御部２２は、通信光の相対光強度を、所定の閾値未満とするか所定の閾値以上とするか決定することによって、２値の通信信号を通信光に重畳してよい。
【００８５】
第５ピーク波長λ５は、第１ピーク波長λ１とピーク波長又は光強度が異なる波長であってよい。さらに、制御部２２は、第５ピーク波長λ５において、スペクトルＳＰ２の相対光強度が、スペクトルＳＰ１の相対光強度よりも大きくなるように、発光部１０と通信光発光素子３２とを制御してよい。このようにすることで、通信光を受ける外部装置が通信光に重畳されている信号を復号する際に、照明光が影響を及ぼしにくくなる。
【００８６】
本実施形態に係る照明装置２０は、照明光を特定するスペクトルにおいて、照明光の調色に寄与する４３０ｎｍ〜６６０ｎｍの波長領域における相対光強度と、励起光に対応する第１ピーク波長λ１の相対光強度とを独立に制御できる。このようにすることで、照明装置２０は、照明光の調色と独立に、通信光に対して信号を重畳できる。
【００８７】
人間にとっての視感度が低い紫色光領域に、励起光に対応する第１ピーク波長λ１、及び、通信光に対応する第５ピーク波長λ５が含まれることによって、人間にとっての視感度が高い領域における調色の自由度が増大しうる。
【００８８】
＜＜通信信号の分離＞＞
照明装置２０から通信光が到達する範囲は、照明装置２０が照明光で照らすことができる範囲よりも狭くされてよい。このようにすることで、複数の照明装置２０それぞれの照明光の到達範囲が重なる場合にも、各照明装置２０からの通信光が混信しにくくなる、又は、互いに干渉しにくくなる。その結果、照明が途切れるエリアが減らされつつ、各照明装置２０から出力される通信信号が区別されやすくなる。照明装置２０は、通信ピーク波長における通信光の相対光強度を照明光の相対光強度よりも弱くすることによって、通信光の到達範囲を狭くしてよい。
【００８９】
各照明装置２０は、異なるピーク波長を有する通信光を射出してもよい。照明光の到達範囲が重なる照明装置２０は、互いに異なるピーク波長を有する通信光を射出してもよい。このようにすることで、各照明装置２０からの通信光が混信しにくくなる、又は、互いに干渉しにくくなる。その結果、照明が途切れるエリアが減らされつつ、各照明装置２０から出力される通信信号が区別されやすくなる。
【００９０】
＜照明光と出力情報との連動＞
照明装置２０は、出力部３０によって情報を出力できる。照明装置２０が出力部３０から出力する情報は、出力情報とも称される。照明装置２０が出力部３０として通信光発光素子３２を備える場合、出力情報は、通信光に重畳されている通信信号に基づく出力データを含んでよい。照明装置２０が出力部３０としてスピーカ３４を備える場合、出力情報は、音声を含んでよい。照明装置２０が出力部３０として通信インタフェース３６を備える場合、出力情報は、種々の通信方式によってネットワーク又は外部機器に出力可能な出力データを含んでよい。出力データは、デジタルデータ又はアナログデータ等を含んでよい。
【００９１】
出力情報は、検出部２４の検出結果を含んでよい。検出部２４は、例えば、照明装置２０の周辺の状況に関する情報を検出してよい。照明装置２０の周辺の状況に関する情報は、例えば、気温若しくは湿度、又は、照度等を含んでよい。照明装置２０の周辺の状況に関する情報は、照明装置２０の周辺の所定範囲内における人間の密度等を含んでもよい。検出部２４は、例えば、地震等に起因して照明装置２０に生じる加速度を検出してもよい。
【００９２】
出力情報は、携帯端末等の電子機器で再生可能なコンテンツデータを含んでよい。コンテンツデータは、例えば、文字データ、画像データ、又は、音声データを含んでもよい。出力情報は、電子機器で再生するコンテンツデータを特定する識別子を含んでもよい。この場合、コンテンツデータは電子機器に格納されていてよい。コンテンツデータは、広告を含んでもよい。
【００９３】
制御部２２は、照明光と出力情報とが互いに関連するように発光部１０と出力部３０とを制御してよい。つまり、制御部２２は、発光部１０と出力部３０とを連動させてよい。制御部２２は、発光部１０と出力部３０とを連動させるための連動制御情報を生成してよい。連動制御情報は、例えば、発光部１０に、照明光の強度又は色等を変更させるタイミングを含んでよいし、出力部３０に情報を出力させるタイミングを含んでよい。制御部２２は、外部装置から取得した連動制御情報に基づいて発光部１０と出力部３０とを制御してもよい。制御部２２が照明光と連動させる出力情報は、音声、又は、データを含んでよいが、これに限られない。
【００９４】
＜＜照明と音声との連動＞＞
制御部２２は、発光部１０とスピーカ３４とを連動させてもよい。制御部２２は、例えば、発光部１０が射出する照明光の明るさ又はスペクトル若しくは色と、スピーカ３４が出力する音声とを連動させてよい。制御部２２は、例えば、音声に合わせて照明光を調色したり調光したりしてよい。制御部２２は、音声に合わせて照明光を特定するスペクトルを変化させてもよい。
【００９５】
制御部２２は、音声が表す情報に対応するパターンで照明光を調色したり調光したりしてよい。つまり、制御部２２は、１つの情報を音声によって人間に聴こえる情報として出力しつつ、同じ情報を照明光の調光又は調色によって人間が視認できる情報として出力してもよい。人間は、視覚及び聴覚によって情報を取得する場合、視覚及び聴覚の一方だけで情報を取得する場合よりも、情報を確認しやすくなる。また、照明装置２０が聴こえる情報と視認できる情報とを両方とも出力することによって、視覚及び聴覚のいずれかが弱くなっている人に情報が伝わりやすくなる。
【００９６】
照明装置２０が例えばスポットライトとして舞台等の演出に用いられる場合、制御部２２は、音楽の曲調に基づいて照明光の色を切り替えてよい。制御部２２は、照明光の色を白色にするだけでなく、所定のタイミングで単色にするように制御してもよい。
【００９７】
照明装置２０が街路灯等の屋外照明として用いられる場合、制御部２２は、照明光の色を白色にしつつ、時間帯によって変化する周囲の騒音レベルに基づいてスピーカ３４が出力する音量を制御してもよい。制御部２２は、時間帯に基づいて照明光の明るさを制御してもよい。
【００９８】
制御部２２は、検出部２４の検出結果に基づいて、発光部１０及びスピーカ３４を制御してもよい。制御部２２は、照明装置２０の周辺に集まっている人間の数に基づいて、発光部１０及びスピーカ３４を制御してもよい。制御部２２は、例えば、照明装置２０の周辺に集まっている人間の数が多いほど、スピーカ３４の音量を大きくしたり、発光部１０が射出する照明光の明るさを大きく変化させたりしてもよい。
【００９９】
本実施形態に係る照明装置２０は、上述したような構成を有することによって、音声と照明光とを連動させることができる。制御部２２は、様々な情報に基づいて発光部１０及びスピーカ３４を制御することによって、状況に合わせた演出を実現できる。このようにすることで、照明装置２０は、その設置空間の利用者を快適に感じさせることができる。その結果、利用者の利便性が向上しうる。
【０１００】
制御部２２は、発光部１０とスピーカ３４とを連動させるだけでなく、発光部１０とスピーカ３４とを独立に制御してもよい。
【０１０１】
＜＜照明とデータとの連動＞＞
制御部２２は、携帯端末等の電子機器に出力するデータと、発光部１０から射出する照明光とを連動させてよい。つまり、制御部２２は、照明光と連動して電子機器を動作させるデータを電子機器に出力してよい。制御部２２は、例えば、電子機器の動作に合わせて照明光を調色したり調光したりしてよい。制御部２２は、電子機器の動作に合わせて照明光を特定するスペクトルを変化させてもよい。
【０１０２】
制御部２２は、例えば、電子機器に所定のキャラクタを表示させるデータを出力しつつ、そのキャラクタのイメージに合う照明光を発光部１０に射出させてよい。制御部２２は、照明装置２０の近傍の情報を電子機器に表示させるデータを出力してよい。制御部２２は、電子機器に所定の音声を再生させるデータを出力しつつ、その音声に合う照明光を発光部１０に射出させてよい。制御部２２は、電子機器に所定のキャラクタを表示させつつ所定の音声を再生させるデータを出力してもよい。制御部２２は、複数の電子機器それぞれに異なるデータを出力してよい。制御部２２は、複数の電子機器それぞれで再生される音声が合わせて１つの音声となるように、各電子機器にデータを出力してもよい。制御部２２は、スピーカ３４に音声を出力させつつ、各電子機器に所定の音声を再生させるデータを出力してもよい。制御部２２は、スピーカ３４が出力する音声と、各電子機器が再生する音声とが合わせて１つの音声となるように、各電子機器にデータを出力しつつスピーカ３４に音声を出力させてもよい。
【０１０３】
制御部２２は、電子機器に案内情報を表示させるデータを出力してもよい。案内情報は、照明装置２０の周囲を案内する情報を含んでよい。案内情報は、照明装置２０の位置を基準として特定可能なエリアを案内する情報を含んでよい。案内情報は、案内の対象エリアに位置するスポット又は店舗等を案内する情報を含んでよい。スポットは、例えばアトラクション等を含んでよい。店舗は、例えばカフェ若しくはレストラン等の飲食店、又は、売店等を含んでよい。案内情報は、スポット又は店舗等の混雑状況に関する情報を含んでもよい。照明装置２０は、スポット又は店舗等に対応づけられてよい。この場合、制御部２２は、照明装置２０に対応づけられているスポット又は店舗等の混雑状況に基づいて、照明光を調光したり調色したりしてよい。
【０１０４】
本実施形態に係る照明装置２０は、上述したような構成を有することによって、データと照明光とを連動させることができる。制御部２２は、様々な情報に基づいて照明光と電子機器の動作とを制御することによって、状況に合わせた演出を実現できる。このようにすることで、照明装置２０は、その設置空間の利用者を快適に感じさせることができる。その結果、利用者の利便性が向上しうる。
【０１０５】
以上述べてきたように、本実施形態に係る照明装置２０は、照明光と出力情報とを互いに関連させることによって、照明装置２０が設置されている空間の利用者の利便性を向上させることができる。
【０１０６】
＜双方向性＞
照明装置２０は、情報を出力するだけでなく、外部の電子機器又は人間等から情報を取得してもよい。制御部２２は、取得した情報に基づいて出力情報を決定してもよい。つまり、照明装置２０は、外部の電子機器又は人間等との間で双方向に情報を伝達してよい。
【０１０７】
照明装置２０は、双方向に情報を伝達できる場合、例えば、周囲に存在する電子機器から送信される情報の量が多いほど、速いテンポの音楽をスピーカ３４に出力させるとともに、短い周期で照明光の調光又は調色のパターンを変化させてもよい。照明装置２０は、周囲に存在する電子機器から送信される情報の量が多いほど、照明光を多くの種類の色に変化させてもよい。
【０１０８】
例えば地震等の災害が発生した場合において、照明装置２０は、周囲に存在する電子機器から安否情報を取得してよい。安否情報は、例えば、電子機器を所持している人又はその周囲の人がけがをしているか否かに関する情報を含んでよい。安否情報は、電子機器を所持している人が必要としている物品に関する情報を含んでよい。安否情報は、電子機器を所持している人が感じる寒さ又は暑さ等に関する情報を含んでよい。照明装置２０は、取得した安否情報に基づいて、出力情報を決定してよい。照明装置２０は、例えば、非常食の備蓄場所に関する情報を出力してもよい。照明装置２０は、けがの応急処置を受けられる場所に関する情報を出力してもよい。照明装置２０は、避難場所に関する情報を出力してもよい。
【０１０９】
照明装置２０が双方向に情報を伝達できることによって、照明装置２０の利便性が向上する。制御部２２は、受光部２５で取得した通信信号に基づいて出力情報を決定することによって双方向性を実現してもよい。制御部２２は、通信インタフェース３６で受信した情報に基づいて出力情報を決定することによって双方向性を実現してもよい。検出部２４は、音声情報を取得するマイク等の音声入力デバイスを含んでもよい。制御部２２は、音声入力デバイスで取得した音声情報に基づいて出力情報を決定することによって双方向性を実現してもよい。
【０１１０】
＜照明システム＞
図９に示されるように、一実施形態に係る照明システム１００は、複数の照明装置２０として、第１照明装置２０ａと、第２照明装置２０ｂとを備える。各照明装置２０は、図１及び図２に例示されている構成に加えて、通信部２８をさらに備えてもよい。通信部２８は、他の照明装置２０との間で調光情報又は調音情報を送受信する。通信部２８は、通信インタフェース３６と同一又は類似の構成を含んでよい。通信部２８は、他の照明装置２０の通信部２８との間で、ＬＡＮ等のネットワークを構成してもよい。通信部２８は、ＬＴＥ、４Ｇ又は５Ｇ等の種々の通信方式によってネットワークに接続し、ネットワークを介して他の照明装置２０の通信部２８と通信してよい。通信部２８は、近距離無線通信によって他の照明装置２０の通信部２８と通信してよい。通信部２８同士が通信することによって、各照明装置２０は、調光情報又は調音情報を他の照明装置２０との間で送受信し、連動できる。複数の照明装置２０は、所定範囲に位置してよい。
【０１１１】
照明システム１００は、所定範囲内の空間において、各照明装置２０を連動させることによって、その空間を演出できる。例えば、照明システム１００は、所定範囲内の空間を同じ色の光で照明しつつ、その空間に同じ音楽を流してよい。照明システム１００は、所定範囲内の空間を異なる光の色で照明することによってその空間の全体としての色のバランスを制御してもよい。照明システム１００は、所定範囲内の位置ごとに音量を異ならせたり、音声の内容を異ならせたりしてよい。照明システム１００は、所定範囲内の位置ごとに照明光の強度を異ならせたり、照明光の色を異ならせたりしてもよい。照明システム１００は、所定範囲内の位置ごとに、音声と照明光との組み合わせを異ならせてもよい。
【０１１２】
照明システム１００は、制御装置１１０をさらに備えてもよい。制御装置１１０は、各照明装置２０に対して調光情報と調音情報とを出力し、各照明装置２０を連動させてよい。このようにすることで、照明システム１００は、所定範囲内の空間を演出しやすくなる。制御装置１１０は、種々の機能を実行するための制御及び処理能力を提供するために、少なくとも１つのプロセッサを含んでよい。
【０１１３】
本実施形態に係る照明システム１００は、所定範囲に設置されている複数の照明装置２０を備える。照明システム１００は、所定範囲内を照らす光を制御しつつ、所定範囲内で聴こえる音声、又は、所定範囲内に位置する電子機器の動作を制御できる。つまり、照明システム１００は、照明光と出力情報とを連動させることができる。このようにすることで、照明システム１００は、所定範囲内の空間を効果的に演出できる。その結果、所定範囲内の空間にいる人間にとっての利便性が向上する。
【０１１４】
＜照射灯としての利用＞
照明装置２０は、街路灯などの照射灯として屋内外に設置されてよい。つまり、照明装置２０は、街路灯として設置可能に構成されてよい。照明装置２０は、街路灯に含まれてもよい。照明装置２０が街路灯として設置される場合、照明装置２０が設置される間隔は、所定距離以下とされてよい。街路灯としての照明装置２０が所定距離以下の間隔で設置されていることによって、照明装置２０の周囲にいる通行人が出力部３０から出力する情報を取得しやすくなる。このようにすることで通行人の利便性が向上する。通行人が所持する電子機器は、照明装置２０の情報を取得することによって、位置情報の精度を高めてよい。照明装置２０が所定距離以下の間隔で設置されていることによって位置情報の精度が高められやすくなる。その結果、電子機器を所持する通行人が高精度で追跡されうる。また、街路灯としての照明装置２０が所定距離以下の間隔で設置されていることによって、設置エリアが明るくなる。その結果、照明装置２０は、設置エリアの防犯に寄与する。照明装置２０が照明によって防犯に寄与するだけでなく、通行人に情報を提供したり通行人の位置情報の精度を高めたりすることによって、通行人の利便性が向上する。
【０１１５】
街路灯としての照明装置２０は、検出部２４によって照明装置２０の周囲の状態を検出し、検出結果を出力情報として通行人に提供してよい。制御部２２は、検出結果に基づいて、照明光を調光したり調色したりするとともに、検出結果に基づく情報を出力部３０に出力させてよい。
【０１１６】
照明装置２０の検出部２４は、照明装置２０の周囲に存在する人間を検出してよい。制御部２２は、人間の存在を検出した場合、照明装置２０の周囲に人間がいることを表す情報を出力部３０に出力させてよい。街路灯としての照明装置２０の周囲に存在する人間は、不審者である可能性がある。照明装置２０は、その周囲に人間がいることを表す情報を通行人に提供することによって、照明装置２０の設置エリアの防犯に寄与しうる。
【０１１７】
照明装置２０による検出結果は、災害が発生した場合等の非常時における判断材料として活用されうる。検出結果は、例えば、照明装置２０が設置されている位置の加速度を含んでもよい。制御部２２は、加速度の測定値が所定値以上である場合、照明装置２０の設置場所において地震が発生した可能性があると判定してよい。制御部２２は、加速度が所定値以上となったことを表す情報を出力部３０に出力させてよい。
【０１１８】
検出結果は、例えば、照明装置２０の周囲の温度を含んでよい。制御部２２は、検出された温度が通常の外気温よりも高い場合、照明装置２０の周囲で火災が発生している可能性があると判定してよい。制御部２２は、照明装置２０の周囲における火災発生の可能性を表す情報を出力部３０に出力させてよい。
【０１１９】
街路灯としての照明装置２０は、所定範囲内に複数台設置されてよい。複数の照明装置２０は、照明システム１００を構成してもよい。照明システム１００の制御装置１１０は、各照明装置２０の周囲の状態の検出結果に基づいて、所定範囲内の状態をマッピングしてもよい。例えば非常時において、制御装置１１０は、所定範囲内の各地点における安全度を算出してよい。制御装置１１０は、比較的安全な場所を避難場所として決定してよい。制御装置１１０は、決定した避難場所に関する情報を、各照明装置２０に出力してよい。各照明装置２０の制御部２２は、避難場所に関する情報を出力部３０に出力させてよい。制御部２２は、出力部３０の出力に合わせて照明光を制御してもよい。制御部２２は、避難場所の位置情報を出力部３０に出力させたり、位置情報に基づいて照明光を制御したりしてよい。制御部２２は、照明装置２０の位置を基準として、避難場所までの距離又は避難場所の方向を表す情報を出力部３０に出力させたり、その情報に基づいて照明光を制御したりしてよい。各照明装置２０は、出力情報と照明光とを連動させることによって、所定範囲内にいる人間に効果的に情報を伝達できる。照明システム１００は、例示した避難場所に関する情報に限られず、種々の情報を各照明装置２０に出力させてよい。
【０１２０】
街路灯としての照明装置２０、及び、複数の街路灯を含む照明システム１００は、社会基盤を構成する装置、即ちインフラとしても機能しうる。照明装置２０及び照明システム１００は、単に道路を照明することによって防犯に寄与するだけでなく、通行人にとっての利便性を向上できる。
【０１２１】
本開示に係る実施形態について説明する図は模式的なものである。図面上の寸法比率等は、現実のものとは必ずしも一致していない。
【０１２２】
本開示に係る実施形態について、諸図面及び実施例に基づき説明してきたが、当業者であれば本開示に基づき種々の変形又は修正を行うことが容易であることに注意されたい。従って、これらの変形又は修正は本開示の範囲に含まれることに留意されたい。例えば、各構成部等に含まれる機能等は論理的に矛盾しないように再配置可能であり、複数の構成部等を１つに組み合わせたり、或いは分割したりすることが可能である。
【０１２３】
本開示において「第１」及び「第２」等の記載は、当該構成を区別するための識別子である。本開示における「第１」及び「第２」等の記載で区別された構成は、当該構成における番号を交換することができる。例えば、第１蛍光体は、第２蛍光体と識別子である「第１」と「第２」とを交換することができる。識別子の交換は同時に行われる。識別子の交換後も当該構成は区別される。識別子は削除してよい。識別子を削除した構成は、符号で区別される。本開示における「第１」及び「第２」等の識別子の記載のみに基づいて、当該構成の順序の解釈、小さい番号の識別子が存在することの根拠に利用してはならない。
【符号の説明】
【０１２４】
１０  発光部（２：素子基板、２Ａ：主面、３：発光素子、４：枠体、５：封止部材、６：波長変換部材、６０：透光部材、６１〜６５：第１〜第５蛍光体）
２０  照明装置（２０ａ：第１照明装置、２０ｂ：第２照明装置）
２２  制御部（２２ａ：調光器、２２ｂ：調音器）
２４  検出部
２５  受光部
２６  電源
２８  通信部
３０  出力部
３２  通信光発光素子
３４  スピーカ
３６  通信インタフェース
４０  筐体（４１：第１筐体、４２：第２筐体）
５０  透光性基板
１００  照明システム
１１０  制御装置
【図１】
2020194671.tif 000003
【図２】
2020194671.tif 000004
【図３】
2020194671.tif 000005
【図４】
2020194671.tif 000006
【図５】
2020194671.tif 000007
【図６】
2020194671.tif 000008
【図７】
2020194671.tif 000009
【図８】
2020194671.tif 000010
【図９】
2020194671.tif 000011